(57)【要約】【課題】肌色輪郭補正機能を正確に実行することができる撮像装置を提供する。【解決手段】カメラ１００は、輪郭補正信号の利得を落とすための利得信号を生成する特定色相検出回路２１７、撮影者又は被写体（人物）Ｍが画角確認可能な対面撮影用パネル１０３、対面撮影用パネル１０３の表示方向を検出する対面撮影用パネル表示方向検出回路２０２、及び色相検出回路ＯＮ／ＯＦＦ切り替え回路２０３を備える。カメラ１００は、対面撮影用パネル１０３の表示方向が撮影者側であるときは、色相検出ＯＮ／ＯＦＦ切り替え回路２０３をＯＦＦにして、特定色相検出回路２１７を介して輪郭補正信号の利得制御を行うことなく通常の輪郭補正処理を行い、表示方向が被写体（人物）Ｍ側であるときは、色相検出ＯＮ／ＯＦＦ切り替え回路２０３をＯＮにして、特定色相検出回路２１７により生成された利得信号に基づいて輪郭補正信号の利得制御を実行する。【選択図】      図２
2004201132.tif 000002
【特許請求の範囲】
【請求項１】
撮像する対象の特定色相部分の輪郭部を強調する補正を実行する輪郭補正手段と、前記輪郭部の強調を抑制する補正を実行する特定色相輪郭補正手段とを備える撮像装置において、前記特定色相輪郭補正手段による補正の実行又は不実行を制御する制御手段、及び表示方向が前記撮像する対象側である対面撮影位置と表示方向が前記撮像する対象側とは反対側である通常撮影位置との間で変位可能な、前記撮像する対象を表示する対面撮影用パネルを備え、前記制御手段は、前記対面撮影用パネルが前記対面撮影位置に位置することを検出して、前記特定色相輪郭補正手段による補正を実行することを特徴とする撮像装置。
【発明の詳細な説明】
【０００１】
【発明の属する技術分野】
本発明は、撮像装置に関し、特に、肌色輪郭補正機能と輪郭補正機能とを有するカメラ一体型ＶＴＲ等の撮像装置に関するものである。
【０００２】
【従来の技術】
従来より、撮像素子からの画像信号を用いて画像信号の輪郭部信号に対応する輪郭補正信号を生成することで輪郭部が強調された画像を得る輪郭補正機能を搭載した撮像装置が一般的になっている。この撮像装置は、輪郭補正機能により、解像度が高くメリハリの効いた高画質な画像を得ることができるが、人物の顔などを撮影する場合には、人物の肌をも輪郭補正するので、しわ、しみ、毛穴等が強調された、必ずしも好ましくない撮影結果を得るときがあった。
【０００３】
そこで、肌色などの特定の色相領域に含まれる画像信号に対しては、輪郭補正機能が働かないようにすることも一般的になってきている。なお、このような輪郭補正機能は、肌色輪郭補正機能やスキンディール機能と呼ばれている。この機能では、撮像素子から出力された画像信号から、一般的なベクトルスコープ上で肌色を規定する特定の色相領域内に含まれる画像信号を検出し、該当する画像信号に加算すべき輪郭補正信号の利得を下げるようにしている。これにより、その特定の色相領域に含まれる画像信号には輪郭強調が行われないようにすることができる。
【０００４】
次に、従来例の撮像装置を説明する。
【０００５】
図６は、従来例の撮像装置の構成の一部を示すブロック図である。図７は、図６の撮像装置によって規定される特定の色相領域を含む一般的なベクトルスコープを示す図である。
【０００６】
図６に示すように、撮像装置は、撮像素子であるＣＣＤ６０１、サンプルホールド回路（Ｓ／Ｈ回路）６０２、プリプロセス回路６０３、輪郭補正信号生成回路６０４、輪郭補正信号利得制御回路６０５、画像信号加算回路６０６、及び特定色相検出回路６０７を備える。
【０００７】
図７において、領域Ｓは、一般的なベクトルスコープ上における、肌色を規定する特定の色相領域である。
【０００８】
次に、具体的な図６の撮像装置の動作について図６のブロック図を用いて説明する。
【０００９】
不図示のレンズを通って撮像装置内に入射した光が、ＣＣＤ６０１上に結像され、ＣＣＤ６０１により光電変換されて、出力された画像信号は、サンプルホールド回路６０２でサンプルホールド処理された後、プリプロセス回路６０３に供給されて、プリプロセス回路６０３でブラックバランス処理、ＡＷＢ(Auto White Balance：オートホワイトバランス)処理、ＡＧＣ（Auto Gain Control：自動感度調整）処理、ＣＣＤ６０１の出力範囲の９０％以上の部分で傾斜を緩やかにするといった非線形処理であるニー補正処理などが行われ、画像信号加算回路６０６に供給される。
【００１０】
一方、プリプロセス回路６０３から出力された画像信号は、輪郭補正信号生成回路６０４にも供給される。輪郭補正信号生成回路６０４は、入力された画像信号中の輪郭部信号に対応する輪郭補正信号を生成する。この生成された輪郭補正信号は、輪郭補正信号利得制御回路６０５に供給される。輪郭補正信号利得制御回路６０５は、輪郭補正信号生成回路６０４から供給された輪郭補正信号の利得を後述する利得信号により制御し、利得制御された後の輪郭補正信号は、画像信号加算回路６０６に供給される。利得信号は、特定色相検出回路６０７によって生成される。
【００１１】
特定色相検出回路６０７は、プリプロセス回路６０３から供給された画像信号から図７に図示した領域Ｓに相当する予め定められた特定の色相領域に含まれる色相の画像信号を検出し、該当する画像信号に対応した、輪郭補正信号の利得を落とすための利得信号を生成し、この利得信号を輪郭補正信号利得制御回路６０５に供給する。
【００１２】
以上のように、従来の撮像装置は、予め定められた特定の色相領域に含まれる色相の画像信号を肌色だと断定して、撮影中は絶えず、その肌色だと断定された画像信号に対して輪郭補正信号の利得を落とす肌色輪郭補正機能を実行している。
【００１３】
【発明が解決しようとする課題】
上記のような従来の撮像装置では、肌色輪郭補正機能を実行する対象を特定するために、肌色を規定する特定の色相領域が固定されている。しかしながら、人物の肌でなくても特定の色相領域に入る色相を有する被写体にも肌色輪郭補正が行われてしまうという問題があった。また、肌の色は人物によって異なること、及び、肌の色は肌への照明の種類によっても変化することから、希には、人物の肌の色相が上記の特定の色相領域外の色相を示すこともある。このため、希には、肌色輪郭補正機能を実行しても実際には人物の肌に輪郭補正が行われていないという問題もあった。
【００１４】
本発明の目的は、肌色輪郭補正機能を正確に実行することができる撮像装置を提供することにある。
【００１５】
【課題を解決するための手段】
上記目的を達成するために、請求項１記載の撮像装置は、撮像する対象の特定色相部分の輪郭部を強調する補正を実行する輪郭補正手段と、前記輪郭部の強調を抑制する補正を実行する特定色相輪郭補正手段とを備える撮像装置において、前記特定色相輪郭補正手段による補正の実行又は不実行を制御する制御手段、及び表示方向が前記撮像する対象側である対面撮影位置と表示方向が前記撮像する対象側とは反対側である通常撮影位置との間で変位可能な、前記撮像する対象を表示する対面撮影用パネルを備え、前記制御手段は、前記対面撮影用パネルが前記対面撮影位置に位置することを検出して、前記特定色相輪郭補正手段による補正を実行することを特徴とする。
【００１６】
【発明の実施の形態】
以下、本発明の実施の形態に係る撮像装置を図面を参照しながら説明する。
【００１７】
まず、本発明の第１の実施の形態を説明する。
【００１８】
本実施の形態において、撮像装置はカメラに適用される。
【００１９】
図１は、本発明の第１の実施の形態に係るカメラを示し、（ａ）は、カメラの全体斜視図であり、（ｂ）は、（ａ）に示したカメラを矢印Ｄ方向から見た側面図であり、（ｃ）は、対面撮影用パネルを立てた状態のカメラと被写体とを示す側面図であり、（ｄ）は、対面撮影用パネルの表示部に表示された撮影対象画像を例示する図である。
【００２０】
図１に示したように、カメラ１００は、カメラ本体１０１の前面にレンズ鏡筒１０２を備え、背面側には撮影者又は被写体となる人物（以下、「被写体（人物）」という）が画角を確認することを可能にする対面撮影用パネル１０３が配設されている。対面撮影用パネル１０３は、カメラ本体１００の背面側最上部に配設された回転軸１０４にこれを中心にして回動可能に取り付けられている。被写体は、対面撮影用パネル１０３に設けられた表示部１０３ａに表示される。
【００２１】
（ｃ）に示すように、対面撮影をする場合、撮影者（図示せず）はカメラ１００の背面側に位置しており、被写体（人物）Ｍはカメラ１００の前面側に位置している。このとき、被写体（人物）Ｍは、破線１０５に沿って対面撮影用パネル１０３の表示部１０３ａに表示された自分自身を視認できる。この機能により、特に子供を撮影するときに子供の注意をカメラの方向に向けることができ、撮影結果を良好にすることができる。
【００２２】
図２は、図１のカメラ１００の構成の一部を示すブロック図である。
【００２３】
図２において、カメラ１００は、撮像素子であるＣＣＤ２１１、サンプルホールド回路（Ｓ／Ｈ回路）２１２、プリプロセス回路２１３、輪郭補正信号生成回路２１４、輪郭補正信号利得制御回路２１５、画像信号加算回路２１６、特定色相検出回路２１７、対面撮影用パネル１０３の表示方向が撮影者側であるのか、又は被写体（人物）Ｍ側であるのかを検出する対面撮影用パネル表示方向検出回路２０２、及び特定の色相検出回路ＯＮ／ＯＦＦ切り替え回路２０３を備える。
【００２４】
次に、カメラ１００の具体的な動作について説明する。
【００２５】
レンズ鏡筒１０２に内装された不図示のレンズを通って入射した光は、ＣＣＤ２１１上に結像され、ＣＣＤ２１１により光電変換されて、ＣＣＤ２１１上に画像信号として蓄積される。ＣＣＤ２１１から出力された画像信号は、サンプルホールド回路２１２でサンプルホールド処理された後、プリプロセス回路２１３に供給されて、プリプロセス回路２１３でブラックバランス処理、ＡＷＢ処理、ＡＧＣ処理、ニー補正処理などが行われ、画像信号加算回路２１６に供給される。
【００２６】
その後、画像信号加算回路２１６から出力された画像信号が対面撮影用パネル１０３に供給されて、表示部１０３ａに画像が表示される。なお、通常撮影時には、撮影者が対面撮影用パネル１０３を撮影者側に向けて表示部１０３ａに表示された画像を観察しながら撮影を行うのに対して、対面撮影時には、撮影者が対面撮影用パネル１０３を被写体（人物）Ｍ側に向けて撮影を行う。
【００２７】
対面撮影用パネル表示方向検出回路２０２（制御手段）は、対面撮影用パネル１０３の表示方向が撮影者側であるのか、又は被写体（人物）Ｍ側であるのかを判別し、その判別結果の情報を色相検出ＯＮ／ＯＦＦ切り替え回路２０３（制御手段）に供給する。対面撮影用パネル１０３の表示方向が撮影者側である場合は、色相検出ＯＮ／ＯＦＦ切り替え回路２０３がＯＦＦとなり、もって特定色相検出回路２１７を介した輪郭補正信号の利得制御は行われることなく、通常の輪郭補正が行われる。一方、対面撮影用パネル１０３の表示方向が被写体（人物）Ｍ側である場合は、色相検出ＯＮ／ＯＦＦ切り替え回路２０３がＯＮとなり、もって、以下に説明する特定色相検出回路２１７を介した輪郭補正信号の利得制御（肌色輪郭補正）が行われる。
【００２８】
また、プリプロセス回路２１３から出力された画像信号は、輪郭補正信号生成回路２１４にも供給される。輪郭補正信号生成回路２１４（輪郭補正手段）は、入力された画像信号中の輪郭部信号に対応する輪郭補正信号を生成し、この生成された輪郭補正信号は、輪郭補正信号利得制御回路２１５に供給される。輪郭補正信号利得制御回路２１５（輪郭補正手段，特定色相輪郭補正手段）は、輪郭補正信号の利得を制御し、利得制御された後の輪郭補正信号が画像信号加算回路２１６（輪郭補正手段，特定色相輪郭補正手段）に供給される。
【００２９】
特定色相検出回路２１７（特定色相輪郭補正手段）は、プリプロセス回路２１３から供給された画像信号から予め定められた肌色を規定する特定の色相領域に含まれる色相の画像信号を検出し、特定の色相領域に含まれる色相の画像信号に対応した、輪郭補正信号の利得を落とすための利得信号を生成し、この利得信号を輪郭補正信号利得制御回路２１５に供給する。
【００３０】
以上のように、カメラ１００によれば、対面撮影を行っているときに被写体が人物である確率がかなり高いことを考慮に入れて、対面撮影を行っているときにのみ肌色に相当する特定の色相領域に含まれる色相の画像信号に対して輪郭補正信号の利得を落とすので、肌色輪郭補正機能を正確に実行することができ、もって被写体（人物）Ｍのしわ、しみ、毛穴などが強調されることがない良好な撮影結果を確実に得ることが可能となる。また、対面撮影を行っていないときは、肌色輪郭補正を行わないので、人物の肌ではなく別の被写体に肌色輪郭補正が行われてしまうという問題を解決することができる。
【００３１】
なお、上記第１の実施の形態では、パネル表示方向検出回路２０２は、表示部１０３ａの表示方向を検出したが、カメラ１００に対する対面撮影用パネル１０３の変位した位置などに応じて表示部１０３ａの表示方向を検出してもよい。
【００３２】
次に、本発明の第２の実施の形態を説明する。
【００３３】
本実施の形態において撮像装置はカメラに適用される。
【００３４】
図３は、本発明の第２の実施の形態に係るカメラの構成の一部を示すブロック図である。カメラ２００は、上記カメラ１００に類似する構成（１０３，２０２，２１１〜２１７）を有する。なお、図２に対応する要素及び部分には図２と同じ符号を用いるものとする。
【００３５】
図３に示すように、カメラ２００は、ゲート回路３０１とマイクロコンピュータ（以下、「マイコン」という）３０２とを備え、位相検出ＯＮ／ＯＦＦ回路２０３を備えない点がカメラ１００と異なっている。
【００３６】
ゲー卜回路３０１は、表示部１０３ａの中央部における色差信号を画像信号から検出する回路である。マイコン３０２は、所定の色相領域を設定する。本実施の形態において、特定色相検出回路２１７は、マイコン３０２で設定された色相領域に含まれる色相の画像信号を検出し、該検出した画像信号に対応した、輪郭補正信号の利得を制御するための利得信号を生成する。
【００３７】
また、カメラ２００の外観は、図１の（ａ）〜（ｃ）に示したカメラ１００の外観と同一であるのでそれらを引用して図示を省略する。
【００３８】
図４は、図３の対面撮影用パネル１０３の表示部１０３ａに表示される撮影対象画像を例示する図である。
【００３９】
図４において、枠Ｇは、色差信号を検出するゲート回路３０１が画面の中央部に予め設定したゲート枠Ｇ（所定の検出領域）である。
【００４０】
図５は、図３のマイコン３０２によって実行される輪郭補正処理を示すフローチャートである。
【００４１】
図５において、まず、ステップＳ５０１では、対面撮影用パネル１０３の表示方向を対面撮影用パネル表示方向検出回路２０２が検出し、対面撮影用パネル１０３の表示方向が撮影者側であるのか、又は被写体（人物）Ｍ側であるのかを判別する。該判別の結果、対面撮影用パネル１０３の表示方向が被写体（人物）Ｍ側であるときは、ステップＳ５０２において、ゲート回路３０１が画面の中央部に予め設定したゲート枠Ｇ内の色差信号を検出し、ステップＳ５０３では、マイコン３０２が該検出されたゲート枠Ｇ内の色差信号から肌色を規定する特定の色相領域（肌色領域）をセットする。その後、ステップＳ５０４において、該セットされた色相領域内の色相の画像信号に対して輪郭補正信号の利得を落とす制御（肌色輪郭補正）が実行され、本処理を終了する。
【００４２】
また、ステップＳ５０１の判別の結果、対面撮影用パネル１０３の表示方向が撮影者側であるときは、ステップＳ５０５においてセットされた色相領域内の色相の画像信号に対して輪郭補正信号の利得を落とす制御を行うことなく、通常の輪郭補正処理を行って、本処理を終了する。
【００４３】
次に、図３乃至図５を用いて、図３のカメラ２００の具体的な動作について説明する。
【００４４】
レンズ鏡筒１０２に内装された不図示のレンズを通って入射した光は、ＣＣＤ２１１上に結像され、ＣＣＤ２１１により光電変換されて、ＣＣＤ２１１上に画像信号として蓄積される。ＣＣＤ２１１から出力された画像信号は、サンプルホールド回路２１２でサンプルホールド処理された後、プリプロセス回路２１３に供給されて、プリプロセス回路２１３でブラックバランス処理、ＡＷＢ処理、ＡＧＣ処理、ニー補正処理などが行われ、画像信号加算回路２１６に供給される。
【００４５】
その後、画像信号加算回路２１６から出力された画像信号が対面撮影用パネル１０３に供給されて、表示部１０３ａに画像が表示される。なお、通常撮影時には、撮影者が対面撮影用パネル１０３を撮影者側に向けて表示部１０３ａに表示された画像を観察しながら撮影を行うのに対して、対面撮影時には、撮影者が対面撮影用パネル１０３を被写体（人物）Ｍ側に向けて撮影を行う。
【００４６】
対面撮影用パネル表示方向検出回路２０２は、対面撮影用パネル１０３の表示方向が撮影者側であるのか、又は被写体（人物）Ｍ側であるのかを判別し、その判別結果の情報をマイコン３０２に供給する。そして、マイコン３０２は、対面撮影用パネル１０３の表示方向が撮影者側である場合は、特定色相検出回路２１７を介した輪郭補正信号の利得制御は行わない。対面撮影用パネル１０３の表示方向が被写体側である場合は、以下に説明する特定色相検出回路２１７を介した輪郭補正信号の利得制御（肌色輪郭補正）を実行する。
【００４７】
また、プリプロセス回路２１３から出力された画像信号は、輪郭補正信号生成回路２１４、特定色相検出回路２１７、及びゲート回路３０１にも供給される。
【００４８】
輪郭補正信号生成回路２１４は、入力された画像信号中の輪郭部信号に対応する輪郭補正信号を生成し、この生成された輪郭補正信号は、輪郭補正信号利得制御回路２１５に供給される。輪郭補正信号利得制御回路２１５は輪郭補正信号の利得を制御し、利得制御された後の輪郭補正信号が画像信号加算回路２１６に供給される。
【００４９】
一方、ゲート回路３０１は、プリプロセス回路２１３から供給された画像信号が示す領域（画面）の中央部にゲート枠Ｇを予め設定し、そのゲート枠Ｇ内の色差信号を検出して、この検出結果をマイコン３０２に供給する（図５のステップＳ５０２）。マイコン３０２は、ゲー卜回路３０１から供給された色差信号から特定色相検出回路２１７で検出すべき色相領域を生成する（図５のステップＳ５０３）。
【００５０】
特定色相検出回路２１７は、プリプロセス回路２１３から供給された画像信号から前記特定の色相領域に含まれる色相の画像信号を検出し、前記特定の色相領域に含まれる色相の画像信号に対応した、輪郭補正信号の利得を落とすための利得信号を生成し、この利得信号を輪郭補正信号利得制御回路２１５に供給する（図５のステップＳ５０４）。
【００５１】
以上のように、図３のカメラ２００によれば、対面撮影を行っているときに被写体が人物である確率がかなり高いということ、及び画面の中央部に人物が位置しているということを考慮に入れて、画面の中央部の色差信号を検出し、その色差信号を肌についての信号とし、その色差信号から設定された色相領域に含まれる色相の画像信号に対しては輪郭補正信号の利得を落とす処理を実行するので、例え、肌の色が人物によって異なっていようとも、また被写体（人物）Ｍへの照明の種類によって肌の色が変化しようとも、カメラ２００側で自動的に被写体（人物）Ｍの肌の色を正確に把握して肌色輪郭補正機能を実行することができ、もって被写体（人物）Ｍのしわ、しみ、毛穴などが強調されることがない良好な撮影結果を確実に得ることが可能となる。一方、対面撮影を行っていないときは、肌色輪郭補正を行わないので、人物の肌ではないが肌色の被写体にも肌色輪郭補正が行われてしまうという問題を解決することができる。
【００５２】
上記第２の実施の形態において、ゲート回路３０１は、撮影対象画像の領域（画面）の中央部にゲート枠Ｇを予め設定するとしたが、このゲート枠Ｇの設定場所及びその広さの設定は、撮影対象画像の領域内であればよい。撮影対象画像の画面の中央部に被写体（人物）Ｍが位置している確率がかなり高いという実状を鑑みると、ゲート枠Ｇを画面の中央部に設定することにより、肌色輪郭補正機能を正確に実行することができる。
【００５３】
上記第１及び第２の実施の形態では、撮像装置がカメラに適用されるとしたが、カメラのような静止画撮影装置に限られず、カメラ一体型ＶＴＲなどの動画撮影装置に適用されるとしてもよい。
【００５４】
また、上記第１及び第２の実施の形態では、肌色を対象にした肌色輪郭補正機能が実行されるとしたが、実行されるべき輪郭補正機能の対象になる色相は、肌色に限られることはないのはいうまでもない。
【００５５】
また、本発明は、上述した実施の形態の機能を実現するソフトウェアのプログラム（図５のフローチャートに対応するプログラムなど）をコンピュータ又はＣＰＵに供給し、そのコンピュータ又はＣＰＵが該供給されたプログラムを読み出して実行することによって、本発明の目的を達成することができるのはいうまでもない。
【００５６】
この場合、上記プログラムは、該プログラムを記憶した記憶媒体から直接供給されるか、又はインターネット、商用ネットワーク、若しくはローカルエリアネットワークなどに接続される不図示の他のコンピュータやデータベースなどからダウンロードすることにより供給される。
【００５７】
また、上記プログラムは、上述した実施の形態の機能を実現することができればよく、そのプログラムの形態は、オブジェクトコード、インタプリタにより実行されるプログラムコード、オペレーティングシステム（ＯＳ）に供給されるスクリプトデータなどの形態から成ってもよい。
【００５８】
更にまた、上述した実施の形態の機能を実現するソフトウェアのプログラムを記憶した記憶媒体をコンピュータ又はＣＰＵに供給し、そのコンピュータ又はＣＰＵが記憶媒体に記憶されたプログラムを読み出して実行することによっても、本発明の目的を達成することができるのはいうまでもない。
【００５９】
上述した実施の形態において、プログラムを供給する記憶媒体としては、例えば、ＲＯＭ、ＲＡＭ、フロッピー（登録商標）ディスク、ハードディスク、光ディスク（登録商標）、光磁気ディスク、ＣＤ−ＲＯＭ、ＭＯ、ＣＤ−Ｒ、ＣＤ−ＲＷ、ＤＶＤ−Ｒ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、或いはネットワークを介したダウンロードなどの上記プログラムを記憶することができるものであればよい。
【００６０】
以下、本発明の実施態様の例を列挙する。
【００６１】
〔実施態様１〕  撮像する対象の特定色相部分の輪郭部を強調する補正を実行する輪郭補正手段と、前記輪郭部の強調を抑制する補正を実行する特定色相輪郭補正手段とを備える撮像装置において、前記特定色相輪郭補正手段による補正の実行又は不実行を制御する制御手段、及び表示方向が前記撮像する対象側である対面撮影位置と表示方向が前記撮像する対象側とは反対側である通常撮影位置との間で変位可能な、前記撮像する対象を表示する対面撮影用パネルを備え、前記制御手段は、前記対面撮影用パネルが前記対面撮影位置に位置することを検出して、前記特定色相輪郭補正手段による補正を実行することを特徴とする撮像装置。
【００６２】
〔実施態様２〕  撮像する対象の肌色部分の輪郭部を強調する補正を実行する輪郭補正手段（２１４，２１５，２１６）と、前記輪郭部の強調を抑制する補正を実行する肌色輪郭補正手段（２１５，２１７）とを備える撮像装置において、前記撮像する対象の画像の領域のうち所定の検出領域を設定する検出領域設定手段（３０１）、前記検出領域における色相を検出する第１の色相検出手段（３０１）、前記第１の色相検出手段により検出された色相を含む肌色領域を設定する肌色領域設定手段（３０２）、前記撮像する対象の画像の色相を検出する第２の色相検出手段（２１７）、及び前記第２の色相検出手段により検出された色相に基づいて前記肌色輪郭補正手段による補正の実行又は不実行を制御する制御手段（２０２，３０２）を備え、前記制御手段は、前記第２の色相検出手段により検出された色相が前記肌色領域に含まれるときは、前記肌色輪郭補正手段による補正を実行することを特徴とする撮像装置。
【００６３】
実施態様２記載の撮像装置によれば、撮像する対象の画像の領域のうちから設定された所定の検出領域における色相を含む肌色領域を設定し、撮像する対象の画像の色相が肌色領域に含まれるときは、輪郭部の強調を抑制する補正を実行するので、肌色輪郭補正機能を正確に実行することができる。
【００６４】
〔実施態様３〕  表示方向が前記撮像する対象側である対面撮影位置と表示方向が前記撮像する対象側とは反対側である通常撮影位置との間で変位可能な、前記撮像する対象を表示する対面撮影用パネルを備え、前記制御手段は、前記対面撮影用パネルが前記対面撮影位置に位置することを検出して、前記肌色輪郭補正手段による補正を実行することを特徴とする実施態様２記載の撮像装置。
【００６５】
実施態様３記載の撮像装置によれば、対面撮影用パネルの表示方向が対面撮影位置側であることを検出して、輪郭部の強調を抑制する補正を実行するので、肌色輪郭補正機能をより正確に実行することができる。
【００６６】
〔実施態様４〕  前記所定の検出領域は、前記撮像する対象の画像の領域のうち略中央の領域であることを特徴とする実施態様２又は３記載の撮像装置。
【００６７】
実施態様４記載の撮像装置によれば、撮像する対象の画像のうち設定された検出の領域が略中央の領域であるので、撮像する対象の画像の略中央の領域に撮像する対象が位置している確率がかなり高いという実状を鑑みた構成であることから、肌色輪郭補正機能をより正確に実行することができる。
【００６８】
〔実施態様５〕  撮像する対象の特定色相部分の輪郭部を強調する補正を実行する輪郭補正工程と、前記輪郭部の強調を抑制する補正を実行する特定色相輪郭補正工程とを有する撮像装置の撮像方法において、前記特定色相輪郭補正工程による補正の実行又は不実行を制御する制御工程を有し、前記制御工程では、表示方向が前記撮像する対象側である対面撮影位置と表示方向が前記撮像する対象側とは反対側である通常撮影位置との間で変位可能な、前記撮像する対象を表示する対面撮影用パネルが前記対面撮影位置に位置することを検出して、前記特定色相輪郭補正工程における補正を実行することを特徴とする撮像装置の撮像方法。
【００６９】
〔実施態様６〕  撮像する対象の肌色部分の輪郭部を強調する補正を実行する輪郭補正工程（Ｓ５０４，Ｓ５０５）と、前記輪郭部の強調を抑制する補正を実行する肌色輪郭補正工程（Ｓ５０４）とを有する撮像装置の制御方法において、前記撮像する対象の画像の領域のうち所定の検出領域を設定する検出領域設定工程、前記検出領域における色相を検出する第１の色相検出工程（Ｓ５０２）、前記第１の色相検出工程において検出された色相を含む肌色領域を設定する肌色領域設定工程（Ｓ５０３）、前記撮像する対象の画像の色相を検出する第２の色相検出工程、及び前記第２の色相検出工程において検出された色相に基づいて前記肌色輪郭補正工程における補正の実行又は不実行を制御する制御工程を有し、前記制御工程では、前記第２の色相検出工程により検出された色相が前記肌色領域に含まれるときは、前記肌色輪郭補正工程における補正を実行することを特徴とする撮像装置の撮像方法。
【００７０】
〔実施態様７〕  撮像装置の撮像方法をコンピュータに実行させるプログラムであって、撮像する対象の特定色相部分の輪郭部を強調する補正を実行する輪郭補正モジュールと、前記輪郭部の強調を抑制する補正を実行する特定色相輪郭補正モジュールと、前記特定色相輪郭補正モジュールによる補正の実行又は不実行を制御する制御モジュールとを備え、前記制御モジュールは、表示方向が前記撮像する対象側である対面撮影位置と表示方向が前記撮像する対象側とは反対側である通常撮影位置との間で変位可能な、前記撮像する対象を表示する対面撮影用パネルが前記対面撮影位置に位置することを検出して、前記特定色相輪郭補正モジュールによる補正を実行することを特徴とするプログラム。
【００７１】
〔実施態様８〕  実施態様７記載のプログラムを格納するコンピュータ読み取り可能な記憶媒体。
【００７２】
〔実施態様９〕  撮像装置の撮像方法をコンピュータに実行させるプログラムであって、撮像する対象の肌色部分の輪郭部を強調する補正を実行する輪郭補正モジュールと、前記輪郭部の強調を抑制する補正を実行する肌色輪郭補正モジュールと、前記撮像する対象の画像の領域のうち所定の検出領域を設定する検出領域設定モジュールと、前記検出領域における色相を検出する第１の色相検出モジュールと、前記第１の色相検出モジュールにより検出された色相を含む肌色領域を設定する肌色領域設定モジュールと、前記撮像する対象の画像の色相を検出する第２の色相検出モジュールと、前記第２の色相検出モジュールにより検出された色相に基づいて前記肌色輪郭補正モジュールによる補正の実行又は不実行を制御する制御モジュールとを備え、前記制御モジュールは、前記第２の色相検出モジュールにより検出された色相が前記肌色領域に含まれるときは、前記肌色輪郭補正モジュールにおける補正を実行することを特徴とするプログラム。
【００７３】
〔実施態様１０〕  実施態様９記載のプログラムを格納するコンピュータ読み取り可能な記憶媒体。
【００７４】
【発明の効果】
以上詳細に説明したように、請求項１記載の撮像装置によれば、対面撮影用パネルの表示方向が対面撮影位置側であることを検出して、輪郭部の強調を抑制する補正を実行するので、特定色相輪郭補正機能、特に肌色輪郭補正機能を正確に実行することができる。
【図面の簡単な説明】
【図１】本発明の第１の実施の形態に係るカメラを示し、（ａ）は、カメラの全体斜視図であり、（ｂ）は、（ａ）に示したカメラを矢印Ｄ方向から見た側面図であり、（ｃ）は、対面撮影用パネルを立てた状態のカメラと被写体とを示す側面図であり、（ｄ）は、対面撮影用パネルの表示部に表示された撮影対象画像を例示する図である。
【図２】図１のカメラ１００の構成の一部を示すブロック図である。
【図３】本発明の第２の実施の形態に係るカメラの構成の一部を示すブロック図である。
【図４】図３の対面撮影用パネル１０３の表示部１０３ａに表示される撮影対象画像を例示する図である。
【図５】図３のマイコン３０２によって実行される輪郭補正処理を示すフローチャートである。
【図６】従来例の撮像装置の構成の一部を示すブロック図である。
【図７】図６の撮像装置によって規定される特定の色相領域を含む一般的なベクトルスコープを示す図である。
【符号の説明】
１００  カメラ
１０１  カメラ本体
１０３  対面撮影用パネル
１０３ａ  表示部
１０４  回転軸
２０２  対面撮影用パネル表示方向検出回路
２０３  色相検出ＯＮ／ＯＦＦ切り替え回路
２１４  輪郭補正信号生成回路
２１５  輪郭補正信号利得制御回路
２１６  画像信号加算回路
２１７  特定色相検出回路
３０１  ゲート回路
３０２  マイクロコンピュータ（マイコン）
【図１】
2004201132.tif 000003
【図２】
2004201132.tif 000004
【図３】
2004201132.tif 000005
【図４】
2004201132.tif 000006
【図５】
2004201132.tif 000007
【図６】
2004201132.tif 000008
【図７】
2004201132.tif 000009